(57)【特許請求の範囲】
【請求項１】
内側の収納空間を外部と仕切る開閉自在な扉を備えた収納部を有し、前記扉には、前記扉を閉じた状態でその表示画面が外部から視認できる向きにタブレット端末を取り付けるタブレット端末取り付け部が設けられている床頭台であって、前記タブレット端末取り付け部が、前記扉に設けられた窓であり、前記窓が、前記タブレット端末の表示画面側の表面外周部と当接する窓枠部と、前記窓枠部よりも前記扉の内側に位置し、前記タブレット端末をその表示画面側の表面外周部を前記窓枠部に当接させた状態で収容できる大きさの支持枠部とを有している床頭台。
【請求項２】
前記支持枠部よりもさらに前記扉の内側に、その表示画面側の表面外周部を前記窓枠部に当接させた状態で前記支持枠部に収容されている前記タブレット端末の背面と当接する抑え部材を有している請求項１記載の床頭台。
【請求項３】
前記支持枠部及び／又は前記抑え部材が、前記タブレット端末と他の機器及び／又は電源とを接続する接続線のそれぞれを収容し前記扉外部へと導く収容ガイド溝か、又は前記接続線の２以上を束ねて収容し、前記扉外部へと導く収容ガイド溝を有している請求項２記載の床頭台。
【請求項４】
前記扉に、ＩＣカードリーダ用の窓及び／又はＵＳＢ端子用の窓が設けられている請求項１〜３のいずれかに記載の床頭台。
【発明の詳細な説明】
【技術分野】
【０００１】
本発明は床頭台に関し、より詳細には、物品収容スペースの確保と情報端末の配置とを両立させた床頭台に関する。
【背景技術】
【０００２】
病院や介護施設における入院患者のベッドサイドには、通常、利用者である患者が生活用品や身の回り品を収納したりするのに用いる床頭台と呼ばれる収納家具が配置されている。
【０００３】
床頭台としては種々のものが提案されているが、病室内ベッド脇の限られたスペースに設置する都合上、引き出しや棚、扉のついた収納スペースなどを縦に配置したものが一般的であり、例えば、特許文献１に示されるとおり、二段棚付床頭台や、上部収納部付床頭台などが知られている。これらの床頭台には、入院生活の快適化に資する生活用品の一つであるテレビを載置するスペースが設けられるのが普通であり、このスペースが床頭台のかなりの部分を占めるものとなっている。
【０００４】
ところが、近年、多数の医療機関において、テレビとは別に、タブレット型の端末装置をベッドサイドに配置することが行われている。このベッドサイドに配置されるタブレット型の端末は、当該端末を通じて、患者が必要なときに院内情報や自身の入院生活に関する情報などにアクセスすることを可能にするものであるとともに、医療スタッフが適宜使用して、患者の医療情報の閲覧や入力などに利用することができるので、極めて利便性の高い端末である。
【０００５】
しかし、このタブレット型の端末は、自身の電源を必要とする上に、使用者の認証を行うためのＩＣカードリーダとの接続線や、院内又は院外のネットワークと接続するためのＬＡＮケーブルなどを伴っており、これら付随する接続線類を含めて従来の床頭台に配置しようとすると、優に一段分の収納スペースを要することとなり、その分、患者の身の回り品や日用品の置き場所が制限されてしまうという不都合をもたらすものであった。
【先行技術文献】
【特許文献】
【０００６】
【特許文献１】実用新案登録第３２０６７７７号公報
【発明の開示】
【発明が解決しようとする課題】
【０００７】
本発明は、上記従来技術の問題点に鑑みて為されたもので、極めて利便性の高いタブレット型の端末を、患者が利用する身の回り品の収容スペースを犠牲にすることなくベッドサイドに配置することを可能にする床頭台を提供することを課題とするものである。
【課題を解決するための手段】
【０００８】
本発明者らは、上記課題を解決すべく鋭意研究努力を重ねた結果、床頭台に、開閉自在な扉で外部と仕切られた収納空間を有する収納部を設け、その開閉自在な扉にタブレット型の端末を取り付けることで、扉内側に形成されている収納空間を犠牲にすることなく、患者及び医療スタッフの双方が、患者のベッドサイドで適宜参照、使用することができる状態で、タブレット端末を床頭台に配置することができることを見出した。
【０００９】
すなわち、本発明は、内側の収納空間を外部と仕切る開閉自在な扉を備えた収納部を有し、前記扉には、前記扉を閉じた状態でその表示画面が外部から視認できる向きにタブレット端末を取り付けるタブレット端末取り付け部が設けられている床頭台を提供することによって、上記課題を解決するものである。
【００１０】
好適な一態様において、前記タブレット端末取り付け部は前記扉に設けられた窓である。当該窓は、前記タブレット端末の表示画面側の表面外周部と当接する窓枠部と、前記窓枠部よりも前記扉の内側に位置し、前記タブレット端末をその表示画面側の表面外周部を前記窓枠部に当接させた状態で収容できる大きさの支持枠部とを有しているのが望ましい。
【００１１】
本発明に係る床頭台は、前記扉に設けられた前記窓の前記支持枠部よりもさらに前記扉の内側に、その表示画面側の表面外周部を前記窓枠部に当接させた状態で前記支持枠部に収容されている前記タブレット端末の背面と当接する抑え部材を有しているのが好ましい。本発明に係る床頭台が、このような抑え部材を有する場合には、前記支持枠部内に、前記タブレット端末をより確実に収容、保持することができる。
【００１２】
さらに、本発明に係る床頭台は、前記扉に、ＩＣカードリーダ用の窓、又はＵＳＢポート用の窓、又はその双方が設けられていても良い。収納部の扉に設けられた窓にＩＣカードリーダが顔を見せている場合には、前記収納部の扉を開けることなく、ＩＣカードをＩＣカードリーダにかざして、必要な認証操作を行うことができる。認証がＩＣカードではなく、バーコードの読み取り、又は指紋の読み取りによって行われる場合にも、バーコードリーダ又は指紋読み取り機が接続されるＵＳＢポートが扉の前面に顔を出していると極めて便利である。
【００１３】
さらに、本発明に係る床頭台は、その好適な一態様において、前記支持枠部及び／又は前記抑え部材が、前記タブレット端末と他の機器及び／又は電源とを接続する接続線のそれぞれを収容し前記扉外部へと導く収容ガイド溝か、又は前記接続線の２以上を束ねて収容し、前記扉外部へと導く収容ガイド溝を有している。このため、タブレット端末を収納部の扉に取り付けた場合にも、取り付けられたタブレット端末と外部機器、電源等との接続線は、タブレット端末の裏側で、支持枠部及び／又は抑え部材に設けられた収容ガイド溝で束ねられ、一束となって外部へと導かれるので、タブレット端末が取り付けられた扉の背後に位置する収容空間内に多数の接続線が散在することがなく、収容空間を十分に収容スペースとして利用することができる。
【発明の効果】
【００１４】
本発明の床頭台によれば、院内情報端末として極めて有用なタブレット型の端末装置を、利用者である患者の収容スペースを犠牲にすることなく、患者及び医療スタッフの双方が、患者のベッドサイドで適宜参照、使用することができる状態で、床頭台に配置することができるという利点が得られる。
【図面の簡単な説明】
【００１５】
【図１】本発明の床頭台の一例を示す正面図である。
【図２】床頭台の上部収納部γの部分だけを取り出して示す部分拡大正面図である。
【図３】外部と仕切る扉を開いた状態の上部収納部の部分拡大正面図である。
【図４】抑え部材を取り外した状態を示す図である。
【図５】タブレット端末とＩＣカードリーダを取り外した状態を示す図である。
【発明を実施するための形態】
【００１６】
以下、図面を参照しながら本発明を説明するが、本発明が図示されたものに限られないことは勿論である。
【００１７】
図１は、本発明に係る床頭台の一例を示す正面図である。図１において、１は床頭台である。床頭台１は、左右の側板２ａ、２ｂ、底板３、天板４、及び背面板５を主たる構成要素とする縦に長い一種の箱型家具であり、その最下段には、例えば冷蔵庫（図示せず）などを収納するための下部収納部αが設けられている。６ａ、６ｂは引出しであり、上側の引出し６ｂの上面は載置台７となっている。載置台７の上方には、例えば、テレビＴＶなどを収容する中部収納部βが設けられている。
【００１８】
８ａ、８ｂは扉であり、左右の側板２ａ、２ｂに取り付けられたヒンジ（図示せず）によって開閉自在に支持され、観音開き形式に手前側に開くことができるようになっている。扉８ａ、８ｂの内側には、図１では見えないけれども、後述する図３に示すとおり、扉８ａ、８ｂで外部と仕切られた収納空間を有する上部収納部γが設けられている。
【００１９】
なお、図１に示した床頭台１は、あくまでも一例であって、本発明に係る床頭台は、図１に示した形状、構造のものに限られるわけではない。本発明に係る床頭台は、内側の収納空間を外部と仕切る開閉自在な扉を備えた収納部を有し、前記扉には、前記扉を閉じた状態でその表示画面が外部から視認できる向きにタブレット端末を取り付けるタブレット端末取り付け部が設けられていれば良く、その他の構成、構造は、下部収納部α、中部収納部β、引出し６ａ、６ｂなどの個数や位置や存否も含めて、適宜変更が可能である。また、床頭台１の形状も縦長のものに限られるわけではなく、横長であっても良いし、高さも低いものであってもよい。
【００２０】
図２は、図１の床頭台１の上部収納部γの部分だけを取り出して示す部分拡大正面図である。図２において、９はタブレット端末であり、１０はタブレット端末９の表示画面、８ｗ１は扉８ｂに設けられたタブレット端末９用の窓である。図に示すとおり、タブレット端末９は、扉８ｂを閉じた状態（図２に示す状態）で、扉８ｂに設けられた窓８ｗ１を通してその表示画面１０が外部から視認できる向き、すなわち、表示画面１０が窓８ｗ１を通して扉８ｂの外側を向く向きに、扉８ｂに取り付けられている。
【００２１】
１１はＩＣカードリーダ、８ｗ２は扉８ｂに設けられたＩＣカードリーダ１１用の窓である。図に示すとおり、ＩＣカードリーダ１１は、扉８ｂに設けられた窓８ｗ２を通してその読み取り面に外部からＩＣカードを接近させ、読み取ることができる向きに、扉８ｂに取り付けられている。なお、ＩＣカードリーダ１１と、ＩＣカードリーダ１１用の窓８ｗ２は必須ではなく、使用者の認証をＩＣカードを読み取ることによって行う必要がない場合には無くても良い。また、使用者の認証をＩＣカードを読み取ることによって行う場合であっても、扉８ｂとは別の場所に配置する場合には、窓８ｗ２は無くても良い。さらに、例えばＵＳＢ接続方式のバーコードリーダ等を用いる場合には、ＩＣカードリーダ１１に代えて、ＵＳＢポートが扉８ｂの窓から顔を出す、ＵＳＢポート用の窓８ｗ３（図示せず）を設けるようにしても良い。
【００２２】
図３は、図２に示す状態から、扉８ａ、８ｂを開いた状態を示す部分拡大正面図である。図３において、γは上部収納部であり、開閉自在な扉８ａ、８ｂが開かれたことによって、それまで扉８ａ、８ｂによって外部と仕切られていた内側の収納空間が外部からアクセス可能な状態、すなわち、使用者が利用できる状態にある。ｈは扉８ａ、８ｂを開閉自在に支持するヒンジであり、１２は上部収納部γに設けられている棚、１３は上部収納部γの背面板５に設けられた接続線挿通用の開口である。なお、「上部収納部」という呼び方は、本例の場合における呼び方であって、収納部γは、床頭台１のどこかに設けられておれば良く、必ずしも床頭台１の上部になくても良いことは勿論である。
【００２３】
１４は抑え部材であり、本例においては板状で、中央に開口１４ｗを有している。この開口１４ｗは、収納されているタブレット端末９の型番、メーカー等を確認するのにも使用できるし、使用時、タブレット端末９から発せられる熱の排出口としても機能する。なお、抑え部材１４は、４隅のネジｓによって、扉８ｂの裏面に着脱自在に取り付けられている。１７は接続線であり、抑え部材１４に設けられた切り欠き部（後述する）から取り出され、上部収納部γの壁面とコーナーに沿って進み、背面板５に設けられた開口１３から外部へと導かれている。このように、本発明に係る床頭台１においては、接続線がコンパクトに束ねられ、収納部γの隅に沿って外部へと導かれるので、収納スペースが接続線１７で邪魔されることがなく、最大限に利用することができる。
【００２４】
図４は、図３に示した状態から抑え部材１４を取り外した状態を示す図である。図に示すとおり、抑え部材１４の裏面には、タブレット端末９の扉８ｂの裏面からの突出部分を収容するための凹部１４ｕと、ＩＣカードリーダ１１の扉８ｂの裏面からの突出部分を収容するための凹部１４ｖと、タブレット端末９からの接続線を外部へと導く収容ガイド溝１５が設けられている。収容ガイド溝１５は、抑え部材１４の切り欠き部１６を介して外部へとつながっている。なお、ｔは抑え部材１４又は扉８ｂに設けられているネジ穴である。
【００２５】
一方、抑え部材１４が取り外された扉８ｂの裏面には、タブレット端末９の背面と、ＩＣカードリーダ１１の背面が露出している。１７は、タブレット端末９又はＩＣカードリーダ１１と他の機器とを接続する接続線である。
【００２６】
図５は、図４に示す状態から、さらにタブレット端末９とＩＣカードリーダ１１とを接続線ごと取り外した状態を示す図である。図に示すとおり、扉８ｂには、タブレット端末９用の窓８ｗ１が形成されており、窓８ｗ１の大きさは、使用するタブレット端末９の外形よりは一回り小さく、かつ、タブレット端末９の表示画面１０よりは一回り大きな大きさの矩形に選ばれている。
【００２７】
扉８ｂの内側には、タブレット端末９を収容するための凹部が支持枠部１８として形成されており、支持枠部１８の大きさは、窓８ｗ１よりも一回り大きく、タブレット端末９が若干の間隙を残してぴったりと収まる大きさに選ばれている。したがって、支持枠部１８の内周と、窓８ｗ１の外周との間には段差部が存在することとなり、この段差部が窓枠部１９を構成している。
【００２８】
ＩＣカートリーダ１１用の窓８ｗ２についても同様である。すなわち、扉８ｂに形成される窓８ｗ２の大きさは、使用するＩＣカードリーダ１１の外形よりは一回り小さな大きさの矩形に選ばれており、扉８ｂの内側には、ＩＣカードリーダ１１を収容するための凹部がカードリーダ支持枠部２０として形成されている。カードリーダ支持枠部２０の大きさは、窓８ｗ２よりも一回り大きく、使用するＩＣカードリーダ１１が若干の間隙を残してぴったりと収まる大きさに選ばれている。したがって、カードリーダ支持枠部２０の内周と、窓８ｗ２の外周との間には段差部が存在することとなり、この段差部がカードリーダ窓枠部２１を構成している。２２、２３は、接続線を束ねて収容し、外部へと導く収容ガイド溝である。
【００２９】
タブレット端末９を、扉８ｂにセットするには、タブレット端末９を、その表示画面１０が窓８ｗ１の外側を向く向きにして、支持枠部１８内に挿入すれば良い。支持枠部１８内に挿入されたタブレット端末９は、その表示画面１０側の表面外周部を窓枠部１９に当接させた状態で、支持枠部１８内に支持される。
【００３０】
ＩＣカードリーダ１１を扉８ｂにセットする場合も同様である。ＩＣカードリーダ１１を、その読み取り面が窓８ｗ２の外側を向く向きにして、カードリーダ支持枠部２０内に挿入すれば良い。カードリーダ支持枠部２０内に挿入されたＩＣカードリーダ１１は、その読み取り面側の表面外周部をカードリーダ窓枠部２１に当接させた状態で、カードリーダ支持枠部２０内に支持される。
【００３１】
支持枠部１８及びカードリーダ支持枠部２０の内側に、タブレット端末９及びＩＣカードリーダ１１をそれぞれ収容、支持させる作業と相前後して、それら同士、又はそれらと外部機器とを接続する複数の接続線１７を扉８ｂの内側に設けられている収容ガイド溝２２、２３内に収容する。複数の接続線１７は、その１本１本を収容ガイド溝２２、２３内に収容しても良いし、適宜の複数本を束ねて収容ガイド溝２２、２３内に収容しても良い。
【００３２】
続いて、抑え部材１４を、凹部１４ｕ、凹部１４ｖ、及び収容ガイド溝１５が設けられている側を扉８ｂの裏側に向けて、ネジｓを用いて、扉８ｂに取り付ける。これにより、抑え部材１４の凹部１４ｕの内側は、支持枠部１８内に収容、支持されているタブレット端末９の背面と当接し、タブレット端末９が、支持枠部１８内に安定して支持されることになる。同様に、抑え部材１４の凹部１４ｖの内側は、カードリーダ支持枠部２０内に収容、支持されているＩＣカードリーダ１１の背面と当接し、ＩＣカードリーダ１１が、カードリーダ２０内に安定して支持されることになる。必要であれば、凹部１４ｕ及び／又は凹部１４ｖに当接用の弾性素材のシートを貼り付けておいても良い。
【００３３】
抑え部材１４に設けられている収容ガイド溝１５は、扉８ｂの裏側に設けられている収容ガイド溝２２、２３と協同して、複数の接続線１７を収容、案内し、案内された複数の接続線１７は、抑え部材１４に設けられている切り欠き部１６から外部へと導かれることになる。なお、本例においては、接続線１７を収容、案内する収容ガイド溝は、扉８ｂと、抑え部材１４の双方に設けられているが、扉８ｂ又は抑え部材１４のどちらか一方だけに設けるようにしても良い。
【００３４】
このように、本発明に係る床頭台１においては、院内情報や医療情報を閲覧、取得する上で極めて有用なタブレット端末９が、床頭台１の観音開き式に開閉する収容部の扉８ｂに、扉８ｂを閉じた状態でその表示画面１０を外部から視認できる向きに取り付けられているので、床頭台１内の貴重な収容スペースを犠牲にすることなく、必要な情報を適宜得ることができるという利点が得られる。また、タブレット端末９と他の機器とを接続する接続線が、扉８ｂ及び／又は抑え部材１４に設けられた収容ガイド溝によって、コンパクトにまとめられて、外部へと導かれるので、扉８ｂにタブレット端末９やそれに付随する機器を取り付けても、接続線が邪魔になったり、床頭台１の収納スペースを狭くしたりすることがなく、極めて便利である。
【００３５】
なお、上に説明した例では、床頭台１の扉８ｂにタブレット端末９用の窓８ｗ１を設け、タブレット端末９をその表示画面１０が扉８ｂを閉じた状態で扉８ｂの外側を向くように、扉８ｂ内に取り付けるようにしているが、扉８ｂを閉じた状態でその表示画面１０が外部から視認できる向きにタブレット端末９を取り付けるタブレット端末取り付け部の構造は、これに限られない。扉８ｂを閉じた状態でその表示画面１０が外部から視認できる向きにタブレット端末９を取り付けることができる限り、本発明におけるタブレット端末取り付け部の構造はいかなるものであっても良く、例えば、扉８ｂの表側に、タブレット端末９の少なくとも下辺、好ましくは下辺及び側辺と当接してこれを支持するタブレット端末受台を設け、これをタブレット端末取り付け部としても良い。或いは、タブレット端末９の一部を挟持するクリップを取り付け、これをタブレット端末取り付け部としても良い。これらの場合、タブレット端末受台に載置されたタブレット端末からの接続線は、扉８ｂに接続線挿通口を開口して、そこから外部へと導けば良い。
【産業上の利用可能性】
【００３６】
以上説明したとおり、本発明の床頭台によれば、限られた収納スペースを無駄にすることなく、情報端末を床頭台に設備することが可能となり、入院患者はもとより、医療スタッフの利便性も向上し、その産業上の利用可能性は多大である。
【符号の説明】
【００３７】
１                床頭台
２ａ、２ｂ        側板
３                底板
４                天板
５                背面板
８ａ、８ｂ        扉
９                タブレット端末
１０              表示画面
１１              ＩＣカードリーダ
１４              抑え部材
１５、２２、２３    収容ガイド溝
１６              切り欠き部
１７              接続線
１８              支持枠部
１９              窓枠部
２０              カードリーダ支持枠部
２１              カードリーダ窓枠部
【要約】      （修正有）【課題】タブレット型の端末を、患者が利用する身の回り品の収容スペースを犠牲にすることなくベッドサイドに配置することを可能にする床頭台を提供する。【解決手段】内側の収納空間を外部と仕切る開閉自在な扉８ｂを備えた収納部を有し、前記扉には、前記扉を閉じた状態でその表示画面が外部から視認できる向きにタブレット端末９を取り付けるタブレット端末取り付け部が設けられている床頭台1を提供することによって上記の課題を解決する。【選択図】図１【図１】
0006803101.tif 000002
【図２】
0006803101.tif 000003
【図３】
0006803101.tif 000004
【図４】
0006803101.tif 000005
【図５】
0006803101.tif 000006